(57)【要約】【課題】診療情報を項目に分類する際の作業負担を軽減できるテキスト情報管理装置を提供する。【解決手段】ユーザから取得したテキストを分類するための複数の項目の候補をユーザに提示し、それらの複数の項目から選択された項目とテキストとを関連付けて処理するテキスト情報管理装置１００であって、少なくとも１つの定型文と複数の項目の少なくとも１つを関連付けて保持する定型文データベースを保持し、定型文毎にテキストとの類似性を示す類似度を算出し、定型文について算出された類似度に基づいた表示形式で定型文に関連付けられた項目を提示する。【選択図】        図１
2004295224.tif 000002
【特許請求の範囲】
【請求項１】
ユーザから取得したテキストを分類するための複数の項目の候補をユーザに提示する項目提示手段を備え、当該複数の項目から選択された項目と前記テキストとを関連付けて処理するテキスト情報管理装置であって、
少なくとも１つの定型文と前記複数の項目の少なくとも１つを関連付けて保持する定型文データベース記憶手段と、
前記定型文毎に前記テキストとの類似性を示す類似度を算出する類似度算出手段と、を含み、
前記項目提示手段は、前記定型文について算出された類似度に基づいた表示形式で当該定型文に関連付けられた項目を提示することを特徴とするテキスト情報管理装置。
【請求項２】
ユーザからテキストの入力を受け付けるテキスト取得手段と、複数の項目の候補をユーザに提示する項目提示手段と、前記項目提示手段において提示された複数の項目のうち前記テキスト取得手段において取得されたテキストに適合する項目の選択をユーザから受け付ける項目選択手段と、前記項目選択手段において選択された項目と関連付けて前記テキスト取得手段において取得されたテキストを保持するテキスト記憶手段と、を備えるテキスト情報管理装置であって、
前記テキスト取得手段において頻繁に入力され得る少なくとも１つの定型文と前記複数の項目の少なくとも１つを関連付けて保持する定型文データベース記憶手段と、
前記定型文データベースに保持されている定型文毎に、前記テキスト取得手段において取得されたテキストとの類似性を示す類似度を算出する類似度算出手段と、を含み、
前記項目提示手段は、前記類似度算出手段において前記定型文に対して算出された類似度に基づいた表示形式で当該定型文に関連付けられている項目を提示することを特徴とするテキスト情報管理装置。
【請求項３】
請求項１又は２に記載のテキスト情報管理装置において、
前記テキストは医療診療に関するテキストであり、前記項目は主訴、現病歴、既往歴、家族歴、生活歴、所見、基礎的診療情報、初診時特有情報及び生活習慣情報のうち少なくとも１つを含むことを特徴とするテキスト情報管理装置。
【請求項４】
請求項１〜３のいずれか１つに記載のテキスト情報管理装置において、前記項目提示手段は、前記類似度に基づいて項目を異なる強調形式で提示することを特徴とするテキスト情報管理装置。
【請求項５】
請求項４に記載のテキスト情報管理装置において、前記項目提示手段は、前記類似度に基づいて項目を異なる色で提示することを特徴とするテキスト情報管理装置。
【請求項６】
請求項１〜５のいずれか１つに記載のテキスト情報管理装置において、前記項目提示手段は、前記複数の項目を前記類似度に基づいた順に並べて提示することを特徴とするテキスト情報管理装置。
【請求項７】
ユーザから取得したテキストを分類するための複数の項目の少なくとも１つを少なくとも１つの定型文と関連付けて保持する定型文データベースを備えるコンピュータに、
前記定型文毎にユーザから取得したテキストとの類似性を示す類似度を算出する類似度算出ステップと、
前記定型文について算出された類似度に基づいた表示形式で当該定型文に関連付けられた項目を提示する項目提示ステップと、
を含む処理を実行させることを特徴とするテキスト情報管理プログラム。
【請求項８】
ユーザから取得したテキストを分類するための複数の項目の少なくとも１つを少なくとも１つの定型文と関連付けて保持する定型文データベースを備えるコンピュータに、
ユーザからテキストの入力を受け付けるテキスト取得ステップと、
前記定型文データベースに保持されている定型文毎に前記テキスト取得ステップで取得されたテキストとの類似性を示す類似度を算出する類似度算出ステップと、
前記定型文に対して算出された類似度に基づいた表示形式で当該定型文に関連付けられている項目を提示する項目提示ステップと、
前記提示された項目のうち前記テキストに適合する項目の選択をユーザから受け付ける項目選択ステップと、
前記選択された項目と関連付けて前記テキスト取得ステップにおいて取得されたテキストを保持するテキスト記憶ステップと、
を含む処理を実行させることを特徴とするテキスト情報管理プログラム。
【請求項９】
請求項７又は８に記載のテキスト情報管理プログラムにおいて、前記テキストは医療診療に関するテキストであり、前記項目は主訴、現病歴、既往歴、家族歴、生活歴、所見、基礎的診療情報、初診時特有情報及び生活習慣情報のうち少なくとも１つを含むことを特徴とするテキスト情報管理プログラム。
【請求項１０】
請求項７〜９のいずれか１つに記載のテキスト情報管理プログラムにおいて、前記項目提示ステップは、前記類似度に基づいて項目を異なる強調形式で提示することを特徴とするテキスト情報管理プログラム。
【請求項１１】
請求項１０に記載のテキスト情報管理プログラムにおいて、前記項目提示ステップは、前記類似度に基づいて項目を異なる色で提示することを特徴とするテキスト情報管理装置。
【請求項１２】
請求項７〜１１のいずれか１つに記載のテキスト情報管理プログラムにおいて、前記項目提示ステップは、前記複数の項目を前記類似度に基づいた順に並べて提示することを特徴とするテキスト情報管理プログラム。
【発明の詳細な説明】
【０００１】
【発明の属する技術分野】
本発明は、テキストを項目に分類して管理するテキスト情報管理装置及びテキスト情報管理プログラムに関する。より詳しくは、診療に関するテキストを診療内容を示す項目に分類して管理するテキスト情報管理装置及びテキスト情報管理プログラムに関する。
【０００２】
【従来の技術】
医療機関において、医師が患者から得た情報を、患者の主観的な情報（病歴等）、医師が診察した客観的な情報（所見等）、医師の判断（病名等）、医師の行為（治療処置、処方等）の項目に分類して入力する診療支援システムが開発されている。
【０００３】
診療支援システムでは、入力された診療情報の利用性を高めるために、構造化された項目に診療に関する情報を分類して登録する方法が用いられている。例えば、特開平１１−３４５２７６号公報には、医師が、患者の主訴や所見等の非定形情報を区切りながら平文入力し、その区切られた各情報を情報単位として情報単位毎に表示されるポップアップメニューから関連する項目を選択して登録する方法が開示されている。例えば、図１０に示すように、医師は診療情報を入力画面の各行に区切って情報単位として入力する。マウス等のポインティングデバイスを用いて各行をポインタで指すことによってポップアップメニューが表示され、そのポップアップメニュー内に表示された項目の中からポインタで指した行の情報単位に関連する項目を選択する。その結果、その情報単位と選択された項目とが関連付けられて登録される。
【０００４】
【特許文献１】
特開平１１−３４５２７６号公報
【０００５】
【発明が解決しようとする課題】
しかしながら、従来技術におけるポップアップメニューには分類に用いられる総ての項目が表示されるため、医師はポップアップメニューに表示された多数の項目の中から情報単位の分類に最も適した項目を選び出さなければならなかった。従って、医師の作業負担が高く、項目への分類作業に時間が掛かっていた。特に、診療情報の利用性を高めるためにより細分化された項目に分類を行うほど、医師の作業負担が増大し、分類項目の選択を誤る可能性が高くなる問題を生じていた。
【０００６】
本発明は、上記従来技術の問題を鑑み、診療情報を項目に分類する際の作業負担を軽減できるテキスト情報管理装置及びテキスト情報管理プログラムを提供することを目的とする。
【０００７】
【課題を解決するための手段】
上記課題を解決できる本発明は、ユーザから取得したテキストを分類するための複数の項目の候補をユーザに提示する項目提示手段を備え、当該複数の項目から選択された項目と前記テキストとを関連付けて処理するテキスト情報管理装置であって、少なくとも１つの定型文と前記複数の項目の少なくとも１つを関連付けて保持する定型文データベース記憶手段と、前記定型文毎に前記テキストとの類似性を示す類似度を算出する類似度算出手段と、を含み、前記項目提示手段は、前記定型文について算出された類似度に基づいた表示形式で当該定型文に関連付けられた項目を提示することを特徴とする。
【０００８】
より具体的には、ユーザからテキストの入力を受け付けるテキスト取得手段と、複数の項目の候補をユーザに提示する項目提示手段と、前記項目提示手段において提示された複数の項目のうち前記テキスト取得手段において取得されたテキストに適合する項目の選択をユーザから受け付ける項目選択手段と、前記項目選択手段において選択された項目と関連付けて前記テキスト取得手段において取得されたテキストを保持するテキスト記憶手段と、を備えるテキスト情報管理装置であって、前記テキスト取得手段において頻繁に入力され得る少なくとも１つの定型文と前記複数の項目の少なくとも１つを関連付けて保持する定型文データベース記憶手段と、前記定型文データベースに保持されている定型文毎に、前記テキスト取得手段において取得されたテキストとの類似性を示す類似度を算出する類似度算出手段と、を含み、前記項目提示手段は、前記類似度算出手段において前記定型文に対して算出された類似度に基づいた表示形式で当該定型文に関連付けられている項目を提示することを特徴とする。
【０００９】
ここで、上記本発明のテキスト情報管理装置において、前記テキストは医療診療に関するテキストであり、前記項目は主訴、現病歴、既往歴、家族歴、生活歴、所見、基礎的診療情報、初診時特有情報及び生活習慣情報のうち少なくとも１つを含むことができる。
【００１０】
また、上記本発明のテキスト情報管理装置において、前記項目提示手段は、前記類似度に基づいて項目を異なる強調形式で提示することが好適である。特に、前記類似度に基づいて項目を異なる色で提示することが好適である。
【００１１】
また、上記本発明のテキスト情報管理装置において、前記項目提示手段は、前記複数の項目を前記類似度に基づいた順に並べて提示することも好適である。
【００１２】
上記課題を解決できる本発明の別の形態は、ユーザから取得したテキストを分類するための複数の項目の少なくとも１つを少なくとも１つの定型文と関連付けて保持する定型文データベースを備えるコンピュータに、前記定型文毎にユーザから取得したテキストとの類似性を示す類似度を算出する類似度算出ステップと、前記定型文について算出された類似度に基づいた表示形式で当該定型文に関連付けられた項目を提示する項目提示ステップと、を含む処理を実行させることを特徴とするテキスト情報管理プログラムである。
【００１３】
より具体的には、ユーザから取得したテキストを分類するための複数の項目の少なくとも１つを少なくとも１つの定型文と関連付けて保持する定型文データベースを備えるコンピュータに、ユーザからテキストの入力を受け付けるテキスト取得ステップと、前記定型文データベースに保持されている定型文毎に前記テキスト取得ステップで取得されたテキストとの類似性を示す類似度を算出する類似度算出ステップと、前記定型文に対して算出された類似度に基づいた表示形式で当該定型文に関連付けられている項目を提示する項目提示ステップと、前記提示された項目のうち前記テキストに適合する項目の選択をユーザから受け付ける項目選択ステップと、前記選択された項目と関連付けて前記テキスト取得ステップにおいて取得されたテキストを保持するテキスト記憶ステップと、を含む処理を実行させることを特徴とするテキスト情報管理プログラムである。
【００１４】
ここで、上記本発明のテキスト情報管理プログラムにおいて、前記テキストは医療診療に関するテキストであり、前記項目は主訴、現病歴、既往歴、家族歴、生活歴、所見、基礎的診療情報、初診時特有情報及び生活習慣情報のうち少なくとも１つを含むことができる。
【００１５】
また、上記本発明のテキスト情報管理プログラムにおいて、前記項目提示ステップは、前記類似度に基づいて項目を異なる強調形式で提示することが好適である。特に、前記類似度に基づいて項目を異なる色で提示することが好適である。
【００１６】
さらに、上記本発明のテキスト情報管理プログラムにおいて、前記項目提示ステップは、前記複数の項目を前記類似度に基づいた順に並べて提示することも好適である。
【００１７】
【発明の実施の形態】
＜テキスト情報管理装置＞
本発明の実施の形態におけるテキスト情報管理装置１００は、図１に示すように、制御部１０、記憶部１２、キーボード１４、音声入力装置１６、ポインティングデバイス１８及び表示部２０から基本的に構成される。制御部１０、記憶部１２、キーボード１４、音声入力装置１６、ポインティングデバイス１８及び表示部２０は、バスを介して、互いに情報伝達可能に接続される。
【００１８】
制御部１０は、記憶部１２に格納されているオペレーションシステム（ＯＳ）及びテキスト情報管理プログラムを実行することによって、キーボード１４、音声入力装置１６又はポインティングデバイス１８を用いたユーザからの情報の入力を受け付け、入力を支援する画面や処理結果を示す画面を表示部２０に表示させる。また、記憶部１２に格納されている各種データベースを利用して取得した情報に対する処理を行い、その処理結果を記憶部１２に格納させる。
【００１９】
記憶部１２は、ＯＳやテキスト情報管理プログラム及び診療情報データベースや定型文データベースを格納及び保持する。テキスト情報管理プログラム及び各データベースについては後に詳細に説明する。記憶部１２としては、半導体メモリを用いることができるが、データベースが大容量である場合にはハードディクス等の大容量記憶装置を併用しても良い。
【００２０】
キーボード１４及び音声入力装置１６は、医師等から診療情報を受け付けるために用いられる。通常、診療情報はテキスト情報としてキーボード１４を用いて入力される。また、マイクロフォン、アンプ及びアナログ／デジタル変換部を含む音声入力装置１６を用いて音声として診療情報を取得し、その音声を既存の音声認識ツールを用いてテキスト情報に変換して取得しても良い。
【００２１】
音声入力を行う場合には、医師等の話者の音声を音響分析し、パターン認識（例えば、パターンベクトルと各話者に対して予め登録された標準パターンベクトルとの距離を類似度として算出して音声認識する方法）を用いることができる。このとき、各話者の音声の特徴を用いて、テキスト情報のセキュリティ管理を行うことも好適である。
【００２２】
また、テキスト入力には、手書き入力システムを利用しても良い。例えば、デジタルタブレットやペンタブレットを用いてテキスト情報を入力することができる。この場合も、手書き情報の特徴を用いて、テキスト情報のセキュリティ管理を行うことも好適である。
【００２３】
ポインティングデバイス１８は、入力されたテキスト情報を選択したり、ポップアップメニューに表示された分類項目を選択したりする場合に用いられる。ポインティングデバイス１８は、マウス、タッチパネル、ライトペン等の一般的な装置を用いて実現することができる。
【００２４】
表示部２０は、テキスト情報の入力を促す画面や入力されたテキスト情報等の処理に関する情報をユーザに提示するために用いられる。表示部２０としては、ＣＲＴ、液晶ディスプレイ、プリンタ等の表示装置を用いることができる。
【００２５】
＜テキスト情報管理方法＞
以下、テキスト情報管理装置１００を用いたテキスト情報の管理方法について説明を行う。本実施の形態におけるテキスト情報管理方法は、図２に示すフローチャートに沿って実行される。テキスト情報管理方法の各工程はコンピュータで実行可能なテキスト情報管理プログラムに変換され、テキスト情報管理装置１００によって実行される。
【００２６】
ステップＳ１０では、テキスト情報が取得される。制御部１０は、図３に示すように、表示部２０に診療に関する情報の入力を促すテキスト入力画面２００を表示させる。医師は、患者から聞き取った情報、自己が下した診断、診断に基づいて行った治療や処方の診療に関する情報をキーボード１４や音声入力装置１６等を用いてテキスト情報として入力する。
【００２７】
このとき、後の分類を容易にするために、その内容に応じてテキスト情報を区切って入力することが好ましい。例えば、図３に示すように、医師は患者から症状に関する情報を聞き取り、「昨日から胃が痛い△吐き気がする△下痢気味である・・・」と区切り記号“△”を挿入しながらテキスト情報を入力する。区切り記号“△”は、例えば、キーボードの改行キーを押下することを意味する。区切られたテキスト情報毎に情報単位として記憶部１２に一時的に格納される。
【００２８】
入力された情報は、テキスト入力画面２００のテキスト表示領域２０２に表示される。入力されたテキスト情報はその内容を確認し易いように、図３に示すように、例えば情報単位毎に改行して表示されることが好適である。
【００２９】
ステップＳ１２では、記憶部１２に格納された各情報単位について、定型文データベースに保持されている各定型文との類似度が算出される。定型文データベースには、図４に示すように、診療情報として入力される定型文が登録されている。各定型文はその定型文が分類され得る項目と関連付けて保持されている。ここで、項目は主訴、現病歴、既往歴、家族歴、生活歴、所見、基礎的診療情報、初診時特有情報及び生活習慣情報等の診療に関する情報を分類するための項目とすることが好適である。
【００３０】
例えば、「昨日から」という定型文には主訴及び現病歴の２つの項目が関連付けて保持されている。また、「胃が痛い」という定型文は主訴、現病歴及び既往歴の３つの項目と関連付けて保持されている。
【００３１】
制御部１０は、記憶部１２に格納されている各情報単位を順次取り出し、定型文データベースに保持されている各定型文との類似度を算出する。ここでは、情報単位と定型文との類似性が高くなるほど類似度が大きな値となるものとする。
【００３２】
類似度の算出方法としては、例えば、既存のｔｆ＊ＩＤＦ（ｔｅｒｍ  ｆｒｅｑｕｅｎｃｙ＊ｉｎｖｅｒｓｅ  ｄｏｃｕｍｅｎｔ  ｆｒｅｑｕｅｎｃｙ）法等の統計情報に基づく方法が挙げられる。ｔｆ＊ＩＤＦ法では、まず各情報単位に対して既存の形態素解析等を用いることによって形態素（単語）に切り出す。各形態素について、その形態素が情報単位中に出現する頻度を示すｔｆ値と総ての情報単位においてその形態素が出現する情報単位数の逆数を示すＩＤＦ値との積をその形態素の重要度とする。次に、情報単位と定型文との組み合わせ毎に、その定型文にその情報単位に含まれる形態素が出現するか否かを調査し、その定型文に出現した形態素の重要度の総和を情報単位と定型文との類似度として算出する。
【００３３】
但し、類似度の算出方法はこれに限られるものではなく、各情報単位と各定型文との類似度を算出できるものであれば良い。
【００３４】
具体的には、「昨日から胃が痛い」という情報単位について、定型文データベース内の「昨日から」という定型文に対して類似度が１０と算出され、「胃が痛い」という定型文に対しては類似度が１２と算出され、他の定型文に対しては類似度が０と算出されたものとする。他の情報単位についても同様に類似度が算出される。
【００３５】
ステップＳ１４では、ステップＳ１２で算出された類似度に基づいて各情報単位について項目の関連度が算出される。ここでは、情報単位と項目との関連性が高くなるほど関連度が大きな値となるものとする。
【００３６】
定型文データベースを参照して、情報単位との類似度が予め定められた閾値以上である定型文を抽出し、それらの定型文に関連付けて保持されている項目の累積頻度を関連度とすることができる。
【００３７】
上記の「昨日から胃が痛い」という情報単位の例では、閾値が５であるとすると、「昨日から」及び「胃が痛い」という定型文が抽出される。「昨日から」という定型文には主訴及び現病歴が関連付けて保持され、「胃が痛い」という定型文には主訴、現病歴及び既往歴と関連付けて保持されているので、主訴の関連度（累積頻度）は２、現病歴の関連度（累積頻度）は２、既往歴の関連度（累積頻度）は１と算出される。算出された各項目の関連度は情報単位「昨日から胃が痛い」と関連付けて記憶部１２に一時的に保持される。
【００３８】
また、図５に示すように、定型文データベースに各定型文と関連する項目とをその関連性を数値化して登録しておき、ステップＳ１２で算出された情報単位との類似度が予め定められた閾値以上である定型文を抽出し、それらの定型文に関連付けて保持されている各項目の関連性の数値の累積値を関連度としても良い。
【００３９】
ステップＳ１６では、項目に分類する情報単位の選択が行われる。医師は、マウスを用いてテキスト入力画面２００のテキスト表示領域２０２に表示された情報単位上にポインタ（図中、矢印で示す）を移動させ、そこでマウスの右ボタンをクリックする。制御部１０は、マウスの右ボタンがクリックされたことを受けて、記憶部１２を参照してポインタが置かれている情報単位と関連付けて保持されている各項目の関連度を読み出し、その関連度に基づいてポップアップメニュー２０４として項目を表示する。
【００４０】
例えば、情報単位「昨日から胃が痛い」と関連付けて主訴の関連度２、現病歴の関連度２、既往歴の関連度１が保持されていた場合、ポインタが情報単位「昨日から胃が痛い」に置かれ、そこでマウスが右クリックされた場合には、図６に示すように、ポップアップメニュー２０４に関連度が高い順に項目を表示させることが好適である。また、図７に示すように、関連度が低い項目（例えば、関連度が１以下の項目）は非表示とすることも好適である。
【００４１】
また、関連度が高い項目を強調表示することも好適である。例えば、関連度が高い項目と関連度が低い項目とを異なる色相、輝度で表示しても良い。また、関連度が高い項目を太字で表示し、関連度が低い項目を細字で表示しても良い。
【００４２】
ステップＳ１８では、情報単位を分類する項目の選択が行われる。医師は、ステップＳ１６で表示されたポップアップメニュー２０４の中から選択した情報単位に対して最も関連性が高い項目を選び、マウスの左ボタンをクリックする。制御部１０は、マウスの左ボタンのクリックを受けて、選択された情報単位と項目とを関連付けて記憶部１２に一時的に格納する。
【００４３】
ステップＳ２０では、総ての情報単位について項目が選択されたか否かが判断される。総ての情報単位について項目が選択されていればステップＳ２２に処理が移行され、項目が選択されていない情報単位が残っていればステップＳ１６へ処理が戻される。
【００４４】
ステップＳ２２では、情報単位の分類が正しいか否かの確認が行われる。制御部１０は、図８に示すように、表示部２０に項目別に情報単位の内容を示す確認画面３００を表示させ、医師等に分類が正しいか否かの判断を促す。分類が正しいと判断した場合には、マウスを用いてポインタをＯＫボタン３０２上に移動させ左ボタンをクリックすることによって確認を行う。分類が正しくないと判断した場合には、マウスを用いてポインタを再分類ボタン３０４上に移動させ左ボタンをクリックする。制御部１０は、ＯＫボタン３０２上でマウスの左ボタンがクリックされたことを受けると、ステップＳ２４に処理を移行する。再分類ボタン３０４上でマウスの左ボタンがクリックされたことを受けると、記憶部１２の情報単位と項目との関係をクリアして、ステップＳ１６に処理を戻す。
【００４５】
ステップＳ２４では、情報単位が項目に分類された診療情報データベースに登録される。制御部１０は、記憶部１２から情報単位と項目とを読み出し、図９に示すように、患者名、医師名、診察日時等の診察に対する一般的な情報と共に記憶部１２の診療情報データベースに登録する。
【００４６】
【発明の効果】
本発明によれば、入力されたテキストと定型文との類似性に基づいて、そのテキストを分類するための項目のうち関連性が高い項目のみを表示させたり、関連性が高い項目を強調表示させたりすることができる。その結果、例えば、医師等が主訴や所見等の非定型情報を項目に分けて入力するとき、項目分けのための作業負担を軽減する等の効果を得ることができる。
【図面の簡単な説明】
【図１】本発明の実施の形態におけるテキスト情報管理装置の構成を示すブロック図である。
【図２】本発明の実施の形態におけるテキスト情報管理プログラムのフローチャートを示す図である。
【図３】テキスト入力時におけるテキスト入力画面の例を示す図である。
【図４】定型文データベースの登録内容の例を示す図である。
【図５】定型文データベースの登録内容の別例を示す図である。
【図６】分類項目の選択時におけるテキスト入力画面の例を示す図である。
【図７】分類項目の選択時におけるテキスト入力画面の別の例を示す図である。
【図８】分類結果の確認画面の例を示す図である。
【図９】診療情報データベースの登録内容の例を示す図である。
【図１０】従来のテキスト入力画面の例を示す図である。
【符号の説明】
１０  制御部、１２  記憶部、１４  キーボード、１６  音声入力装置、１８ポインティングデバイス、２０  表示部、１００  テキスト情報管理装置、２００  テキスト入力画面、２０２  テキスト表示領域、２０４  ポップアップメニュー、３００  確認画面、３０２  ＯＫボタン、３０４  再分類ボタン。
【図１】
2004295224.tif 000003
【図２】
2004295224.tif 000004
【図３】
2004295224.tif 000005
【図４】
2004295224.tif 000006
【図５】
2004295224.tif 000007
【図６】
2004295224.tif 000008
【図７】
2004295224.tif 000009
【図８】
2004295224.tif 000010
【図９】
2004295224.tif 000011
【図１０】
2004295224.tif 000012